(57)【特許請求の範囲】
【請求項１】
給紙装置の用紙載置台に収納された用紙に当接して分離給紙可能とされた給紙ローラを有する給紙ローラ駆動軸を前記用紙の正規な搬送方向に対して傾斜自在にプリンタ本体のフレームに支持するプリンタの給紙機構であって、
前記給紙ローラ駆動軸の傾斜角度を手動により調整自在とする切換えレバーを前記フレームに回転軸を中心に揺動可能に配設し、
一端部の支持位置をフレームの固定位置とし、他端部の支持位置を記録に供される用紙の正規な搬送方向に移動可能にフレームに支持した前記給紙ローラ駆動軸の前記他端部を、フレームに回転軸を中心に揺動可能に配設された切換えレバーの軸支孔内に保持しておき、
前記フレームに前記切換えレバーの揺動方向に所定間隔をもって複数形成されたノッチを配設し、
前記ノッチに対し、前記切換えレバーに形成された係止部を係合させて、前記切換えレバーの揺動を規制することにより、前記給紙ローラ駆動軸の前記他端部を前記切り替えレバーの軸支孔内で移動させ、前記給紙ローラ駆動軸の他端部をユーザーが所望する記録を得るための給紙ローラ駆動軸の傾斜角度に対応させた支持位置に誘導し、前記給紙ローラ駆動軸を本来の用紙の搬送方向に対してユーザーの所望の角度で斜め支持した状態で用紙の搬送を行なうことを特徴とするプリンタの給紙機構。
【請求項２】
前記給紙装置を給紙ローラ駆動軸の延在方向に対して直交するように予め支持位置を規制された前記給紙ローラ駆動軸に対して連接させて用紙の搬送を行うことを特徴とする請求項１に記載のプリンタの給紙機構。
【発明の詳細な説明】
【０００１】
【発明の属する技術分野】
本発明は、記録に供される用紙の斜行を調整して搬送することのできるプリンタの給紙機構に関する。
【０００２】
【従来の技術】
一般に、コンピュータ、ワードプロセッサ、ファクシミリ等の出力装置として熱転写プリンタ、ページプリンタ等の各種のプリンタが用いられている。
【０００３】
このようなプリンタにおいて、所望の記録を行なう場合は、プリンタ本体の用紙搬送方向上流側に配設された給紙装置の用紙載置部に複数枚の用紙を収納し、この用紙に対して給紙ローラを当接させ、この給紙ローラを回転駆動させることにより、前記用紙載置部に収納された用紙を１枚ずつ分離して搬送するようになっている。この給紙ローラにより搬送された用紙は、プリンタの用紙搬送経路に順次配設された搬送ローラを経由して、プリントヘッドとプラテンローラとが配設された記録位置に向かって搬送され、前記記録位置にて記録に供された後、さらに、排紙ローラを経由してプリンタ本体外に排出されるようになっている。
【０００４】
【発明が解決しようとする課題】
ところで、プリンタにおいて記録に供される用紙は、ステップモータやギア等からなる用紙搬送機構を駆動して前記給紙ローラや搬送ローラ等を回転させ、搬送するようになっているが、前記給紙ローラや搬送ローラ等の回転軸に撓みがあったり、あるいは回転軸に支持されているローラが偏心していたりすると、用紙は斜行して搬送されることになり、良好な記録結果を得ることができない原因となっている。そこで、この斜行を検出して自動に調整するような方法が様々開発されているが、どの方法も斜行を検出するためのセンサや斜行の程度を判別し、その後の搬送を調整するための制御装置などを要し、大がかりで高値のものとなっていた。
【０００５】
また、従来のプリンタでは、予め記録がなされた用紙の上に重ねて記録を施すような場合に、当初の記録が用紙に対して直角度が出ていない、つまり、用紙に対して傾斜して記録が施されているようなときには、給紙装置に形成された用紙ガイドに沿わせることなく、用紙載置部上に目算で用紙自体を傾斜させて載置する等の工夫が必要となり、その調整が難しかったり、また、給紙ローラと用紙との係合のバランスやタイミングが用紙の幅方向でズレが生じることになるので、用紙搬送がスムーズにできないなどの問題が生じていた。
【０００６】
本発明はこれらの点に鑑みてなされたもので、簡単な構造で用紙の斜行搬送の矯正、あるいはユーザーが故意に斜行させる搬送調整を簡単に行うことができ、かつ廉価なプリンタの給紙機構を提供することを目的とするものである。
【０００７】
【課題を解決するための手段】
前述した目的を達成するため、本発明のプリンタの給紙機構は、給紙装置の用紙載置台に収納された用紙に当接して分離給紙可能とされた給紙ローラを有する給紙ローラ駆動軸を前記用紙の正規な搬送方向に対して傾斜自在にプリンタ本体のフレームに支持するプリンタの給紙機構であって、前記給紙ローラ駆動軸の傾斜角度を手動により調整自在とする切換えレバーを前記フレームに回転軸を中心に揺動可能に配設し、一端部の支持位置をフレームの固定位置とし、他端部の支持位置を記録に供される用紙の正規な搬送方向に移動可能にフレームに支持した前記給紙ローラ駆動軸の前記他端部を、フレームに回転軸を中心に揺動可能に配設された切換えレバーの軸支孔内に保持しておき、前記フレームに前記切換えレバーの揺動方向に所定間隔をもって複数形成されたノッチを配設し、前記ノッチに対し、前記切換えレバーに形成された係止部を係合させて、前記切換えレバーの揺動を規制することにより、前記給紙ローラ駆動軸の前記他端部を前記切り替えレバーの軸支孔内で移動させ、前記給紙ローラ駆動軸の他端部をユーザーが所望する記録を得るための給紙ローラ駆動軸の傾斜角度に対応させた支持位置に誘導し、前記給紙ローラ駆動軸を本来の用紙の搬送方向に対してユーザーの所望の角度で斜め支持した状態で用紙の搬送を行なうことを特徴とするものである。
【００１２】
本発明によれば、所望のノッチを選択して切換えレバーの係止部を係合させることで、簡単かつ確実に、給紙ローラ駆動軸の他端部を軸支孔内を移動させて、その支持位置をフレームの用紙の正規の搬送方向に前後に誘導し、前記給紙ローラ駆動軸をフレームに支持することができる。
【００１３】
さらに、前記給紙装置を給紙ローラ駆動軸の延在方向に対して直交するように予め支持位置を規制された前記給紙ローラ駆動軸に対して連接させて用紙の搬送を行うことを特徴とする。
【００１４】
本発明によれば、給紙ローラ駆動軸は常に給紙装置の用紙載置台上に載置された用紙の幅方向に延在することとなり、用紙に対して、幅方向で給紙ローラを適切に当接させることができるので、用紙の１枚ずつの分離と搬送とをスムーズに行うことができる。
【００１５】
【発明の実施の形態】
まず、本発明のプリンタの給紙機構の実施の形態について図１乃至図  により説明する。
【００１６】
本実施の形態のプリンタは、図１および図２に示すように、用紙Ｐを略水平に搬送して記録を行うように構成されており、プリンタ本体内の前記用紙Ｐの搬送経路途中には、用紙Ｐの搬送方向に平行に配設されたプラテンローラ１と、図示しない公知の駆動機構により前記プラテンローラ１に対して上方から接離自在とされたプリンタヘッド２が配設されている。このプラテンローラ１に対してプリンタヘッドが２当接する位置は記録位置ＰＰとされ、プラテンローラ１とプリンタヘッド２との間には、プラテンローラ１側から順に、用紙Ｐおよびリボンテープ（図示せず）が供給されるようになっている。
【００１７】
そして、前記プリンタ本体の用紙Ｐの搬送経路における上流には複数の給紙ローラ３を軸支する給紙ローラ駆動軸４がプリンタのフレーム５に対し、用紙の幅方向に延在するようにして支持されている。
【００１８】
前記給紙ローラ駆動軸４の一端側は前記プリンタフレームに配設位置を固定させて支持されており（以下、この端部を「固定端部」という）、他端側は固定端部を中心にして水平方向（用紙の搬送方向）に移動可能に支持されている（以下、この端部を「可動端部」という）。そして、前記給紙ローラ駆動軸４の固定端部には給紙ローラ駆動ギアＧが取付けられており、この給紙ローラ駆動ギアＧに複数の伝達ギア（図示せず）を介して駆動モータ（図示せず）の駆動力が伝達され、給紙ローラ駆動軸４が回転し、給紙ローラ３を回転させるように構成されている。
【００１９】
また、前記給紙ローラ駆動軸４の可動端部を支持するフレーム５には、図１及び図３乃至図５に示すように、扇状の板材の先端辺近傍に軸支孔７が形成された調整板８とこの調整板８に連接された把持部９とからなる切換えレバー６が、前記調整板８と把持部９との連接部付近に形成された回転軸１０を中心に前記調整板８の先端部を上下方向に揺動可能に配設されている。
【００２０】
前記切換えレバー６の軸支孔７は、前記給紙ローラ駆動軸４の可動端部を、切換えレバー６の揺動に伴って軸支孔７内で移動させうるように支持しており、前記軸支孔７は、軸支孔７内の下端に位置した給紙ローラ駆動軸４の軸中心と前記把持部９の基端部に形成された回転軸１０の中心との距離寸法が最も短く、上端に位置する場合の給紙ローラ駆動軸４の軸中心と前記回転軸１０の中心との距離寸法が最も長くなるような円弧状に形成されている。
【００２１】
そして、ユーザーが前記把持部９を把持して切換えレバー６を揺動動作させることにより、前記調整板８も一体に回動させ、前記調整板８の軸支孔７内に支持した給紙ローラ駆動軸４の可動端部を円弧状の軸支孔７内のいずれかの位置に誘導することにより、給紙ローラ駆動軸４の可動端部の支持位置を給紙方向前後に変化させるようになっている。
【００２２】
つまり、軸支孔７により給紙ローラ駆動軸４の可動端部の支持位置を用紙Ｐの正規の搬送方向の前後に移動させ、前記給紙ローラ駆動軸４をフレーム５に支持することができ、この給紙ローラ駆動軸４の延在方向に対して直交するようにして用紙を供給すれば、斜行調整をおこなったユーザーの所望する記録を得ることができる。
【００２３】
また、本実施形態においては、前記把持部９は、板状部材の一端（基部）を前記調整板８と連設させ、その中間部を前記調整板８と共に前記回転軸によりフレーム５に回転自在に軸支されている。そして、その自由端側には、図３乃至図５に示すように、前記把持部９の基部と面一とする揺動ガイド部９ａと、この揺動ガイド部９ａの対向面と所定の間隔を以て同一方向に水平に延在するように段形成された係止用ガイド部９ｂとが形成されている。詳しくは、前記揺動ガイド部９ａは、前記把持部９を構成する板状部材の幅方向中央部から前記板状部材の長手方向に延在する板片である。また、前記係止用ガイド部は、前記揺動ガイド部９ａの基部の両側部を自らの基部とする略∩字状の板片であって、この係止用ガイド部９ｂはその基部を段状に形成されて、この係止用ガイド部９ｂと前記揺動ガイド部９ａの互いに対向する面の間に一定の間隔を有するように形成されている。この一定の間隔とは、具体的には、プリンタのフレーム５を構成する板材を介在させうる間隔となっている。そして前記係止用ガイド部９ｂの先端にはさらに突出する係止用突起部９ｃが形成されており、この係止用突起部９ｃの前記揺動ガイド部９ａに対向する面には、後述するノッチ１１に係合するピン１１が形成されている。また、この係止用突起部９ｃのピン１１を形成した面の裏面には、ユーザーが操作時に指がかりとする把持用突起９ｄが立設されている。
【００２４】
一方、前記可動端部を支持するフレーム５には、揺動する切換えレバー６の把持部９に形成されたピン１１を係合させる複数のノッチ１２が、前記切換えレバー６の前記ピン１１の揺動範囲に所定間隔をもって整列形成されている。本実施形態においては、前記ノッチ１２は、前記フレーム５に切換えレバー６の揺動に応じて９ヵ所に形成されている。
【００２５】
そして、円弧状に整列形成された前記ノッチ１２と、前記切換えレバー６の回転軸１０との間に介在するフレーム５には、切換えレバー６の揺動角に対応する扇面状の切欠き窓１３が形成されており、この切欠き窓１３の円弧部分を構成するフレーム５を前記切換えレバー６の係止用ガイド部９ｂと前記揺動ガイド部９ａの互いに対向する面の間に形成された間隙に挟持させ、前記揺動ガイド部９ａは前記調整板８と同じ側のフレーム５の面（表面側）に位置し、前記係止用ガイド部９ｂは、前記切欠き窓を抜けて、前記調整板８と反対側のフレーム５の面（裏面側）に位置させる。よって、前記把持用突起９ｄも、プリンタのフレーム５の裏面側に配設されることとなる。
【００２６】
そして、前記ノッチ１２に前記ピン１１が係合することで、前記切換えレバー６を９つのポジションの揺動位置に保持することができるとともに、各ポジションに応じて給紙ローラ駆動軸４の可動端部を用紙Ｐの正規な搬送方向の９カ所の支持位置に支持することができるように構成されている。
【００２７】
特に、本実施形態においては、図１および図３に示すように切換えレバー６の揺動方向に並ぶ９つのノッチ１２のうち、中央に位置するノッチ（第５ノッチ）１２に切換えレバー６のピン１１が係合したときに、前記給紙ローラ駆動軸４の可動端部は軸支孔７内の中間部に位置するとともに、前記給紙ローラ駆動軸４の可動端部はフレーム５の基準支持位置に位置し、給紙ローラ駆動軸４を用紙の正規な搬送方向に対し直交して延在するように支持するように形成されている。なお、前記基準支持位置とは、給紙ローラ駆動軸４が用紙の正規な搬送方向に対し直交して延在することとなる位置をいうものとする。
【００２８】
そして、図４に示すように、切換えレバー６のピン１１が最上部に位置するノッチ（第１ノッチ）１２に係合したとき、前記給紙ローラ駆動軸４の可動端部は、軸支孔７内の上端部に位置するとともに、前記回転軸１０の中心から最も長く離間させて支持することができるように構成されている（この離間寸法を図４にＬ２に示す）。
【００２９】
具体的には、本実施形態においては、上端部に位置する給紙ローラ駆動軸４の軸中心と前記回転軸１０の中心との距離寸法は１６ｍｍ、前述のように給紙ローラ駆動軸４を基準支持位置に支持した場合の給紙ローラ駆動軸４の軸中心と前記回転軸の中心との離間寸法（図３にＬ１に示す）は１４．８ｍｍとなるように構成されており、１．２ｍｍ程、前記可動端部の支持位置を用紙の本来の搬送方向に前後移動させるようになっている。例えば、給紙ローラ駆動軸４の可動端部を、本実施形態のように用紙Ｐの搬送方向に対して左側に位置させるように構成した場合、前記給紙ローラ駆動軸４の可動端部は、前記基準支持位置よりも１．２ｍｍ程、用紙Ｐの搬送方向上流側に位置することとなる。この状態で用紙Ｐが搬送された場合には、用紙Ｐに対して右上がりの記録を得ることができる。
【００３０】
また、逆に、図５に示すように、切換えレバー６のピン１１が最下部に位置するノッチ（第９ノッチ）１２に係合したとき、前記給紙ローラ駆動軸４の可動端部は、軸支孔７内の下端部に位置するとともに、前記回転軸１０の中心から最も短く離間させて支持されることとなる（この離間寸法を図５にＬ３に示す）。具体的には、本実施形態においては、上端部に位置する給紙ローラ駆動軸４の軸中心と前記回転軸１０の中心との距離寸法は１３．６ｍｍとされており、前記給紙ローラ駆動軸４の可動端部は、前記基準支持位置よりも用紙Ｐの搬送方向下流側に位置することとなる。この状態で給紙された場合には、用紙Ｐに対して右下がりの記録を得ることができることとなる。
【００３１】
なお、前記給紙ローラ駆動軸４の可動端部は前記固定端部の支持位置を回動の中心として用紙Ｐの正規の搬送方向に前後方向に、その可動端部を基準支持位置に位置させたときの給紙ローラ駆動軸を０°とした場合に最大で０．６°ずつ回動するように構成されている。
【００３２】
つまり、前述の第５ノッチ１２に切換えレバー６のピン１１を係合させれば、図３に示すように、前記給紙ローラ駆動軸４は本来の用紙の搬送方向に対し直交するようにしてフレーム５に支持される。このときの給紙ローラ駆動軸４の延在する角度を０°とすれば、前述の第１ノッチ１２に切換えレバー６のピン１１を係合させた場合には、前記回動端部は１．２ｍｍ程、基準支持位置よりも用紙Ｐの搬送方向下流側に位置し、図６に示すように、給紙ローラ駆動軸４は０．６°ほど左側に開くように傾斜してフレーム５に支持されることとなる。
【００３３】
また、逆に、前述の第９ノッチ１２に切換えレバー６のピン１１を係合させた場合には、前記回動端部は１．２ｍｍ程、基準支持位置よりも用紙の搬送方向上流側に位置し、図７に示すように、給紙ローラ駆動軸４は０．６°ほど右側に開くように傾斜してフレーム５に支持されることとなる。
【００３４】
この、０．６°という数値は、給紙ローラ駆動軸４を回動させても、前記固定端部に取付けられた給紙ローラ３駆動ギアとこの給紙ローラ３駆動ギアに駆動力を伝達するギア群との噛合に支障ない角度の例示であり、駆動力の伝達等に支障がなければ、その傾斜角度は０．６°に限らず、その場合には、前記切換えレバー６の軸支孔７内における給紙ローラ駆動軸４の軸中心と前記把持部９の基端部に形成された回転軸１０の中心との距離寸法も、当然に異なるものとなることはいうまでもない。
【００３５】
また、前記ノッチ１２は等間隔に形成されているので、前述のように、前記第５ノッチ１２に切換えレバー６のピン１１が係合した場合の給紙ローラ駆動軸４の延在する角度を０°とすると、第２ノッチ１２に前記ピン１１を係合させた場合は、給紙ローラ駆動軸４は０．４５°ほど左側に開くように傾斜してフレーム５に支持され、第３ノッチ１２に前記ピン１１を係合させた場合は、０．３°ほど左側に開くように傾斜して支持され、第４ノッチ１２に前記ピン１１を係合させた場合は、０．１５°ほど左側に開くように傾斜してフレーム５に支持されることになる。また、第６ノッチ１２に前記ピン１１を係合させた場合は、逆に、０．１５°ほど右側に開くように傾斜してフレーム５に支持され、第７ノッチ１２に前記ピン１１を係合させた場合は、０．３°ほど右側に開くように傾斜してフレーム５に支持され、第８ノッチ１２に前記ピン１１を係合させた場合は、０．４５°ほど右側に開くように傾斜してフレーム５に支持されることとなる。
【００３６】
このように構成されたプリンタの給紙機構によれば、各プリンタが有する斜行特性を補正し、あるいは、用紙Ｐの記録にあわせて故意に斜行させた記録を行いたい場合には斜行の角度に合わせてユーザーが、整列中央に位置する第５ノッチ１２より上方に位置する第１乃至第４の４つのノッチ１２、あるいは、下方に位置する第５乃至第９の４つのノッチ１２の中からいずれか１を選択して前記把持部９のピン１１を係合させることにより、簡単かつ確実に、斜行調整を施した所望の記録を得ることができる。
【００３７】
つまり、形成された軸支孔７内に給紙ローラ駆動軸４の他端部を保持した状態の切換えレバー６のピンを、所望の斜行角度を得るためのノッチ１２を選択して係合させ、給紙ローラ駆動軸４の可動端部を円弧状とされた軸支孔７内を移動させることで、前記把持部９の基端部に形成された回転軸１０の中心との距離寸法を異ならせ、給紙ローラ駆動軸４の支持位置をその基準支持位置の前後に移動させて規制することが可能となるので、給紙ローラ駆動軸４を用紙Ｐの本来の搬送方向に対して所望の角度に斜めに配置させることができ、その状態を保持することで、軸支孔７内に保持された給紙ローラ駆動軸４の可動端部の支持位置を用紙Ｐの搬送方向に水平移動させ、前記給紙ローラ駆動軸４の支持位置を規制することができ、この給紙ローラ駆動軸４の延在方向に対して直交するようにして用紙Ｐを供給することで、ユーザーの所望する斜行調整をおこなった記録を得ることができる。
【００３８】
また、本発明のプリンタの給紙機構においては、プリンタの用紙Ｐの搬送経路の上流側には給紙装置１４が配設されている。
【００３９】
前記給紙装置１４には、図８に示すように、用紙Ｐの給紙方向下流側先端辺を整列させて積層させると共に、用紙Ｐの幅方向位置を規制する規制板１５を有する用紙載置台１６を有しており、その用紙載置台１６の上面に複数枚の用紙Ｐを積層して載置するようになっている。前記用紙載置台１６の上面には、例えば、コルク等の材料からなる図示しない複数の摩擦パッドがその表面が前記用紙載置台１６と面一となるように、給紙ローラ駆動軸４に軸支された給紙ローラ３に対応するように配設されている。また、前記給紙ローラ駆動軸４は図示しないねじりコイルばね等の付勢部材により用紙載置台１６の方向に付勢されているとともに、前記用紙載置台１６は、用紙Ｐの給紙時においては、前記摩擦パッドが形成された用紙Ｐの搬送方向下流側を前記給紙ローラ駆動軸４の配設方向へ押し上げるように図示しない付勢部材により付勢されている。
【００４０】
また、給紙装置１４の本体ケース１７の用紙Ｐの搬送方向下流側の両外側上方には、図８に示すように、給紙方向下流側前方を解放する略Ｃ字状の連結部１８が一体形成されており、本発明においては、この連結部１８には、給紙装置１４を前記プリンタ本体に接続させる際に、図７および図８に示すように、プリンタ本体に支持された前記給紙ローラ駆動軸４に対し、プリンタのフレーム５の内側方において前記給紙ローラ駆動軸４を回転自在に係合し、給紙装置１４の前記摩擦パッドと給紙ローラとを対向させて位置させるように構成されている。
【００４１】
このように、給紙装置１４をプリンタ本体に対して連接させることにより、給紙ローラ駆動軸４を常に給紙装置１４の用紙載置台１６上に載置された用紙Ｐの幅方向に延在させることが可能ととなる。そして、このように給紙ローラ３と用紙Ｐとの位置関係を保つことで、用紙Ｐの幅方向において給紙ローラ３を適切に当接させて均等にグリップすることができるので、用紙Ｐの１枚ずつの分離と搬送とをスムーズに行うことができる。
【００４２】
そして、プリンタ本体内の前記記録位置ＰＰより用紙の搬送方向上流側には、前記フレーム５の幅方向に延在し両端部が前記フレーム５の両側に支持された紙送りローラ駆動軸１９に所定間隔を以て取り付けられた複数の紙送りローラ２０と、各紙送りローラ２０の外周面に当接し紙送りローラ２０に従動回転する補助ローラ２１が回転自在に配設されている。さらに、前記記録位置ＰＰより用紙の搬送方向下流側には、前記フレーム５の幅方向に延在しプリンタフレーム５に支持された排紙ローラ駆動軸２２に所定間隔をもって複数の排紙ローラ２３と、この排紙ローラ２３の外周面に当接し、従動する補助ローラ２４が回転自在に取付けられており、記録の終了した用紙を外部に排出するようになされている。
【００４３】
次に、前述したプリンタの給紙機構を用いた記録の一連の動作の具体例を説明する。
【００４４】
以下の具体例においては、０．６°の右上がりの記録を行う斜行調整を施す場合を説明する。
【００４５】
まず、給紙ローラ駆動軸４の可動端部を前記給紙ローラ駆動軸４の可動端側部側を用紙Ｐの搬送方向上流側に位置させて、給紙ローラ駆動軸４を用紙Ｐの本来の搬送方向に対し、搬送方向左側に開くようにして斜めになるように支持すべく、ユーザーはフレーム５の形成されたノッチ１２のうち、第１ノッチ１２を選択し、前記切換えレバー６のピン１１をこの第１ノッチ１２に係合させ、切換えレバー６をそのポジションで保持させる。
【００４６】
このとき、切換えレバー６の把持部９の把持用突起９ｄを把持して回動軸１０を中心に回動動作させることにより、前記調整板８も一体となって回動するが、その際、給紙ローラ駆動軸４は軸支孔７内をその円弧状の形状に沿わせて上端部に誘導され、その状態で支持されることとなる。また、前記揺動ガイド部９ａはこの切換えレバー６の揺動を補助する役割を果たすものになる。
【００４７】
次に、０．６°ほど左側に開くように傾斜してフレーム５に支持され、保持された前記給紙ローラ駆動軸４に対し、プリンタのフレーム５の両内側部分で、用紙Ｐを用紙載置台１６に収納させた記録装置１４を前記給紙ローラ３軸の延在方向に対して直交させるように、前記連結部１８をもって連接させる。これにより、給紙ローラ３と給紙装置１４は、ともに本来の用紙Ｐの搬送方向に対しユーザーの所望の角度に斜めに指向して位置されることになる。このとき、積層して収納された用紙Ｐに対し、前記給紙ローラ３が付勢部材により付勢されて当接するような機構となっていることは前述の通りである。
【００４８】
そして、この状態において図示しない駆動モータを駆動させ、給紙ローラ駆動軸４を回転駆動させて、給紙ローラ３により記録装置１４の用紙Ｐを１枚ずつ分離させ、プリンタ本体内の用紙Ｐの搬送経路内へ搬送する。このとき、本実施形態においては、用紙Ｐはその搬送方向に対し、０．６°の角度で右上がりに配置された状態で搬送されることとなる。
【００４９】
そして、前記給紙ローラ３により給紙された用紙Ｐを、紙送りローラ２０と補助ローラ２１との間に搬送するとともに、紙送りローラ２０の回転駆動によりさらにプラテンローラ１とプリンタヘッド２との間の記録位置ＰＰ部に搬送し、この用紙Ｐに対して所定の記録を施す。すなわち、プリンタヘッド２をリボンテープおよび用紙Ｐを介してプラテンローラ１に圧接させて、所望の記録信号に基づいてプリンタヘッド２を選択的に駆動させることにより、前記用紙Ｐに所望の記録を行なう。
【００５０】
そして、紙送りローラ２０を回転駆動させることにより、用紙の記録に必要な紙送りを繰り返して行ない、記録が終了した用紙Ｐは、排紙ローラ２３と補助ローラ２４の間に搬送して外部に排出する。
【００５１】
この場合に、記録位置ＰＰに向かって搬送経路を搬送される用紙Ｐは、予め計算された角度に傾斜した状態で記録位置ＰＰに搬送され、記録位置ＰＰにおいて、所定の記録を行なうことで、結果として、ユーザーの所望の記録結果を得ることができる。
【００５２】
このように、本実施形態においては、用紙に対してその幅方向で給紙ローラを適切に当接させて用紙を１枚ずつ分離し、ユーザーの所望する斜行調整を行った搬送や、プリンタのメカ的な斜行特性を補正するような用紙の搬送を、簡単な構成で、確実に行い、所望の記録結果をえることができる。
【００５３】
なお、本発明は前記実施形態のものに限定されるものではなく、必要に応じて種々変更することができる。
【００５４】
【発明の効果】
以上述べたように、本発明に係るプリンタの給紙機構においては、簡単な構造で、廉価に、メカ的な斜行特性を考慮した搬送や、ユーザーの所望の斜行搬送の調整を容易かつ確実に行うことができる。
【図面の簡単な説明】
【図１】  本発明のプリンタの給紙機構が適用されたプリンタの概略側面図
【図２】  図１のプリンタの概略平面図
【図３】  切換えレバーのピンを第５ノッチに係合させた場合の軸支孔の揺動位置と可動端部の配設位置との関係を示す説明図
【図４】  切換えレバーのピンを第１ノッチに係合させた場合の軸支孔の揺動位置と可動端部の配設位置との関係を示す説明図
【図５】  切換えレバーのピンを第９ノッチに係合させた場合の軸支孔の揺動位置と可動端部の配設位置との関係を示す説明図
【図６】  切換えレバーのピンを第１ノッチに係合させた場合の給紙ローラ駆動軸の傾き（右下がり）を示す説明図
【図７】  切換えレバーのピンを第９ノッチに係合させた場合の給紙ローラ駆動軸の傾き（右下がり）を示す説明図
【図８】  本実施形態の給紙装置の構造を示す斜視図
【符号の説明】
１  プラテンローラ
２  プリントヘッド
３  給紙ローラ
４  給紙ローラ軸
５  フレーム
６  切換えレバー
７  軸支孔
８  調整板
９  把持部
９ａ  揺動ガイド部
９ｂ  係止用ガイド部
９ｃ  係止用突起
９ｄ  把持用突起
１０  回動軸
１１  ピン
１２  ノッチ
１３  切欠き窓
１４  給紙装置
１５  規制板
１６  用紙載置台
１７  本体ケース
１８  連結部
１９  紙送りローラ軸
２０  紙送りローラ
２１  補助ローラ
２２  排紙ローラ
２３  補助ローラ
【図１】
0003677194.tif 000002
【図２】
0003677194.tif 000003
【図３】
0003677194.tif 000004
【図４】
0003677194.tif 000005
【図５】
0003677194.tif 000006
【図６】
0003677194.tif 000007
【図７】
0003677194.tif 000008
【図８】
0003677194.tif 000009